(57)【特許請求の範囲】
【請求項１】
電気装置を懸架するためのシステムであって、
電動式アセンブリと、
前記電動式アセンブリに結合される設備搭載アセンブリと、
構造体に結合される構造体搭載アセンブリと、
前記電動式アセンブリから遠隔の電源と、
同軸ケーブルであって、
第１の伝導性材料の伝導性ストランドおよび前記伝導性ストランドを囲繞する複数の補強ストランドを備える、内側ケーブルであって、前記複数の補強ストランドは、第２の伝導性材料から成る、内側ケーブルと、
前記内側ケーブルを囲繞する絶縁体層と、
前記絶縁体層を囲繞する外側導体と、
を備える同軸ケーブルと
を備え、
前記外側導体は、前記同軸ケーブルの一端における第１の除去された区分と、前記同軸ケーブルの他端における第２の除去された区分とを含み、
前記絶縁体層は、前記同軸ケーブルの各端部に除去された区分を有し、それによって、前記同軸ケーブルの一端における暴露された内側ケーブルの第１の部分と、前記同軸ケーブルの他端における暴露された内側ケーブルの第２の部分とを露出させ、
前記暴露された内側ケーブルの第１の部分は、前記設備搭載アセンブリに搭載され、前記暴露された内側ケーブルの第２の部分は、前記構造体搭載アセンブリに搭載され、
外側導体メッシュの第１の除去された区分は、前記設備搭載アセンブリの一部と伝導的に接触し、前記外側導体メッシュの第２の除去された区分は、前記構造体搭載アセンブリの一部と伝導的に接触し、
前記設備搭載アセンブリおよび構造体搭載アセンブリはそれぞれさらに、少なくとも１つの内側導体接続構成要素と、少なくとも１つの外側導体接続構成要素と、少なくとも１つの絶縁体構成要素とを備え、前記設備搭載アセンブリおよび構造体搭載アセンブリはそれぞれ、
内側伝導性経路が、前記電源から、前記内側導体接続構成要素と前記内側ケーブルとの間の連続伝導性接続を通して、前記電動式アセンブリまで形成され、
外側伝導性経路が、前記電動式アセンブリから、前記外側導体と前記外側導体接続構成要素との間の連続伝導性接続を通して、前記電源まで形成され、
前記内側伝導性経路が、前記絶縁体層および前記絶縁体構成要素によって、前記外側伝導性経路から誘電的に分離される、
ように構成される、システム。
【請求項２】
前記電動式アセンブリは、少なくとも１つの低電圧低電力灯具を含む光源を備える、照明器具設備アセンブリである、請求項１に記載のシステム。
【請求項３】
前記設備搭載アセンブリはさらに、少なくとも１つの伝導性グリッパ構成要素から成る、第１の調節可能グリッパアセンブリを備え、
前記構造体搭載アセンブリはさらに、少なくとも１つの伝導性グリッパ構成要素から成る、第２の調節可能グリッパアセンブリを備え、
前記伝導性グリッパ構成要素のうちの少なくとも１つは、前記第１の調節可能グリッパアセンブリが前記内側ケーブルを把持するように、前記暴露された内側ケーブルの第１の部分に結合され、
前記伝導性グリッパ構成要素のうちの少なくとも１つは、前記第１の調節可能グリッパアセンブリが前記内側ケーブルを把持するように、前記暴露された内側ケーブルの第２の部分に結合される、
請求項１に記載のシステム。
【請求項４】
前記第１の伝導性材料は、銅、銅合金、または非銅の高伝導性材料のうちの少なくとも１つであり、
前記第２の伝導性材料は、鋼鉄、ステンレス鋼、または高引張強度、高側方圧縮強度金属のうちの少なくとも１つであり、
前記伝導性ストランドは、複数の伝導性ワイヤを含み、各伝導性ケーブルの前記複数の補強ストランドのうちの少なくとも１つは、複数の強度ワイヤを含み、
前記外側導体は、銅、銅合金、または非銅の高伝導性金属のうちの少なくとも１つから構築されたメッシュである、
請求項１に記載のシステム。
【請求項５】
前記設備搭載アセンブリおよび構造体搭載アセンブリの前記内側導体接続構成要素および前記外側導体接続構成要素は、真鍮であり、前記絶縁体層および前記絶縁体構成要素は、プラスチックまたは別の非伝導性材料である、請求項１に記載のシステム。
【請求項６】
吊架型電動式アセンブリシステムであって、
電気を消費するための手段と、
前記電気を消費するための手段から遠隔の電力を提供するための手段と、
構造体搭載アセンブリを構造体に搭載するための手段と、
設備搭載アセンブリを設備に搭載するための手段と、
同軸懸架ケーブルを提供するための手段であって、
内側導体と、
前記内側導体を囲繞する補強層と、
前記補強層を囲繞する絶縁体層と、
前記絶縁体層を囲繞する外側導体と、
を備える手段と
を備え、
前記同軸懸架ケーブルは、
前記補強層の第１の暴露された部分が、前記同軸懸架ケーブルの一端において暴露され、前記補強層の第２の暴露された部分が、前記同軸懸架ケーブルの他端において暴露され、
前記外側導体の第１の除去された部分が、前記同軸懸架ケーブルの一端において部分的に除去され、前記外側導体の別の第２の除去された部分が、前記同軸懸架ケーブルの他端において部分的に除去される、
ように、部分的に剥取され、
前記構造体搭載アセンブリおよび設備搭載アセンブリはそれぞれ、
少なくとも１つの内側導体接続構成要素と、
少なくとも１つの外側導体接続構成要素と、
少なくとも１つの絶縁体構成要素と、
前記補強層の第１の暴露された部分を設備側アセンブリの複数の伝導性構成要素のうちの少なくとも１つに結合するための手段と、
前記補強層の第２の暴露された部分を構造体側アセンブリの複数の伝導性構成要素のうちの少なくとも１つに結合するための手段と、
前記外側導体の第１の除去された部分を前記設備側アセンブリの複数の伝導性構成要素のうちの少なくとも１つに結合するための手段と、
外側導体メッシュの第２の除去された部分を前記構造体側アセンブリの複数の伝導性構成要素のうちの少なくとも１つに結合するための手段と、
を備え、
内側伝導性経路が、前記電力を提供するための手段から、前記内側導体、前記補強層、および前記内側導体接続構成要素間の連続伝導性接続を通して、前記電気を消費するための手段まで形成され、
外側伝導性経路が、前記電気を消費するための手段から、前記外側導体と前記外側導体接続構成要素との間の連続伝導性接続を通して、前記電力を提供するための手段まで形成され、
前記内側伝導性経路は、前記絶縁体層および前記複数の絶縁体構成要素によって、前記外側伝導性経路から誘電的に分離される、システム。
【請求項７】
電動式アセンブリを懸架するための設備搭載アセンブリを作製する方法であって、
第１の絶縁体構成要素を少なくとも１つの内側導体接続構成要素に結合することと、
前記第１の絶縁体構成要素に、第１の外側導体接続構成要素を結合することであって、前記第１の外側導体接続構成要素は、開口部を有する、ことと、
前記第１の外側導体接続構成要素に、第２の絶縁体構成要素を結合することであって、前記第２の絶縁体構成要素は、開口部を有する、ことと、
前記第２の絶縁体構成要素に、少なくとも１つの筐体要素を結合することであって、前記少なくとも１つの筐体要素はそれぞれ、開口部を有する、ことと、
前記少なくとも１つの筐体要素に、第３の絶縁体構成要素を結合することであって、前記第３の絶縁体構成要素は、開口部を有する、ことと、
前記第１の外側導体接続構成要素を、前記第３の絶縁体構成要素、前記少なくとも１つの筐体要素、および前記第２の絶縁体構成要素の開口部を通して設置することによって、第２の外側導体接続構成要素を前記第１の外側導体接続構成要素に結合することであって、前記第２の外側導体接続構成要素は、開口部を有する、ことと、
グリッパデバイスを前記内側導体接続構成要素に結合することであって、前記グリッパデバイスを前記内側導体接続構成要素に結合することは、
前記グリッパデバイスを、少なくとも前記第２の外側導体接続構成要素、前記第３の絶縁体構成要素、前記少なくとも１つの筐体要素、および前記第１の外側導体接続構成要素の開口部を通して設置することであって、前記グリッパデバイスは、前記グリッパデバイスを少なくとも前記第３の絶縁体構成要素から誘電的に分離する絶縁体スリーブを備える、こと、
を含む、ことと、
前記グリッパデバイスに、第４の絶縁体構成要素を結合することであって、前記第４の絶縁体構成要素は、開口部を有する、ことと、
第３の外側導体接続構成要素を提供することであって、前記第３の外側導体接続構成要素は、開口部を有する、ことと、
前記第３の外側導体接続構成要素を前記第２の外側導体接続構成要素に結合することであって、前記第３の外側導体接続構成要素を前記第２の外側導体接続構成要素に結合することは、
前記第４の絶縁体構成要素を、前記第３の外側導体接続構成要素の開口部を通して設置すること
を含み、
内側伝導性経路が、少なくとも前記内側導体接続構成要素および前記グリッパデバイスによって形成され、
外側伝導性経路が、少なくとも前記第１、第２、および第３の外側導体接続構成要素によって形成され、
前記内側伝導性経路は、少なくとも前記第１、第２、第３、および第４の絶縁体構成要素によって、前記外側伝導性経路から誘電的に分離される、
ことと、
を含む、方法。
【請求項８】
前記電動式アセンブリは、光源を備える、照明器具設備アセンブリである、請求項７に記載の方法。
【請求項９】
前記光源は、少なくとも１つの低電圧低電力灯具を備える、請求項８に記載の方法。
【請求項１０】
前記内側伝導性経路を介して、正の６０−ボルトまたはそれ未満の直流フィードを提供し、前記外側伝導性経路を介して、負の６０−ボルトまたはそれ未満の直流フィードを提供するように電源を構成することをさらに含む、請求項７に記載の方法。
【請求項１１】
前記少なくとも１つの内側導体接続構成要素は、電気リング端子コネクタと、ねじ山付き金属ナットとを備え、前記グリッパデバイスを前記内側導体接続構成要素に結合することはさらに、
前記グリッパデバイスが前記電気リング端子コネクタと伝導的に接触するように、前記グリッパデバイスのねじ山付き部分を前記ねじ山付き金属ナットの中に螺入すること、
を含む、請求項７に記載の方法。
【請求項１２】
前記少なくとも１つの筐体要素は、前記照明器具設備アセンブリの筐体であってもよい、請求項８に記載の方法。
【請求項１３】
ケーブルから前記少なくとも１つの内側導体接続構成要素までの伝導性経路を提供することをさらに含み、前記ケーブルから前記少なくとも１つの内側導体接続構成要素までの前記伝導性経路を提供することは、前記ケーブルが前記グリッパデバイスの開口部を通して給送されるとき、前記グリッパデバイス内に複数のボールベアリングを構成することにより、圧力をケーブルに印加することを含む、請求項１２に記載の方法。
【請求項１４】
第２の外側導体接続構成要素の開口部の一部は、ねじ山付き壁を含み、前記第３の外側導体接続構成要素を前記第２の外側導体接続構成要素に結合することはさらに、
前記第３の外側導体接続構成要素のねじ山付き部分を前記ねじ山付き壁の中に螺入すること
を含む、請求項１２に記載の方法。
【請求項１５】
前記少なくとも１つの内側導体接続構成要素、ならびに前記第１、第２、および第３の外側導体接続構成要素は、真鍮であり、前記第１、第２、第３、および第４の絶縁体構成要素は、プラスチックから作製される、請求項１２に記載の方法。
【発明の詳細な説明】
【背景技術】
【０００１】
照明器具アセンブリ等の多くの電動式アセンブリおよびデバイスが、天井または他の支持構造体から吊架される。照明器具アセンブリが吊架されるために、照明器具アセンブリの重量が、支持構造体から支持されなければならない。加えて、光を提供するために、照明器具アセンブリは、電力が提供されなければならない。
【０００２】
多くの種類の支持体が、照明器具アセンブリを懸架し、それらに電力を提供するために開発されている。近年、伝導性懸架ケーブルシステムが、伝導性懸架ケーブルを介して、発光ダイオード（ＬＥＤ）照明器具等の低電圧灯具設備を懸架し、それに給電する一方、また、ケーブルグリッパの使用を介して、据付の際に高さ調節性を可能にするために開発されている。本開発は、別個の電力コードを必要とせずに、最大１００ポンドの使用荷重（５００ポンドの破断強さ）の照明器具アセンブリの調節可能懸架を可能にしている。
【０００３】
建築家、設計者、および住宅所有者は、多くの場合、不動産物件の内装を設計するときに種々の灯具設備を考慮し、多くの事例では、他の照明器具アセンブリのものより少ない懸架ケーブルを要求する、調節可能懸架システムを伴う照明器具アセンブリを好み得る。本選好は、美観的目的のため、または天井のより小さい面積から懸架される灯具を提供するためであり得る。
【０００４】
しかしながら、各照明器具アセンブリは、少なくとも２つの導体を要求し得る。従来の懸架ケーブルシステムは、２つの導体を利用するコードを用いて、照明具および他の電気アセンブリに給電可能であった。しかしながら、これらの従来の懸架ケーブルシステムは、ケーブルグリッパが、一度に１つのケーブルのみを把持するように設計されるため、かつケーブルグリッパが、有効となるために、金属ケーブルと直接的かつ伝導的に接触する必要があるため、ケーブルグリッパを使用して調節性を可能にし得ない。これらの制約の第１の理由は、ケーブルグリッパが、非金属絶縁ケーブル上で使用されるとき、把持されたケーブルを囲繞し、側方圧縮をそこに印加する、そのボールベアリングまたは他のグリッパ機構が、ユーザが調節を試みる間、絶縁を断裂する可能性が高く、これが、金属ボールベアリングを導体自体に対して引っ掛からせ、絶縁の目的を無効化するであろうためである。加えて、断裂が生じない場合でも、グリッパは、容易に非金属絶縁体上に滑動し得、これは、グリッパの目的を無効化するであろう。したがって、ケーブルグリッパを用いて調節性を提供する、以前の懸架システムは、少なくとも２つの単一導体懸架ケーブルを要求していた。
【０００５】
圧着システムを利用するもの等のいくつかの懸架システムは、据付の間、懸架された設備の高さに限定された調節性を提供する。しかしながら、これらのオプションは、種々の理由から、魅力的ではあり得ない。例えば、懸架ケーブルの調節は、懸架ケーブルの切断および再剥取を要求し得、これは、以前に使用されていた圧着を使用不能にし得る。
【発明の概要】
【課題を解決するための手段】
【０００６】
本開示は、照明器具等の電動式設備を懸架するため、かつ設備の高さが据付の間に調節され得るように、ケーブル把持デバイスを利用しながら、設備をケーブルおよび天井等の構造体に搭載される接続箱に取り付けるための二重導体ケーブル配線システムを提供するための技法に関連する。本発明の二重導体懸架システムは、照明器具アセンブリ等の電動式装置が、１つの懸架ケーブルを用いて給電および懸架されることを可能にし得る一方、また、据付の間、ケーブルグリッパを使用して、調節性を可能にする。開示されるシステムは、同軸ケーブルであり得る、懸架ケーブルの２つの導体を誘電的に分離する一方、同軸ケーブルが、天井搭載接続箱内の電気ドライバとケーブル把持を使用してケーブルによって懸架された電気設備内の電気回路基板との間の別個の伝導性経路に沿って電流を伝導させることを可能にする、アセンブリを提供する。
【０００７】
具体的には、同軸ケーブルは、航空機用ケーブル等の内側導体に沿った１つの伝導性経路と、プラスチック層等の絶縁体を介して、第１の伝導性経路から誘電的に分離され得る、銅メッシュ等の外側導体に沿った第２の伝導性経路とを伝導させ得る。
【０００８】
懸架ケーブルは、伝導性ストランドの周囲に巻装された複数の補強ストランドを含み得る内側ケーブルと、内側導体を均一に囲繞するプラスチック絶縁体等の絶縁層と、プラスチック絶縁体を囲繞する銅メッシュ等の外側導体とを含んでもよい。本発明の懸架システムに伝導的に接続されると、内側ケーブルは、内側伝導性経路を伝導させてもよく、外側ケーブルは、内側伝導性経路から誘電的に分離される外側伝導性経路を伝導させてもよい。
【０００９】
本システムは、設備側アセンブリおよび構造体側アセンブリ等の搭載アセンブリを含んでもよく、それぞれ、設備内のドライバから電気デバイスまでの内側伝導性経路ならびに電気デバイスからドライバまでの外側伝導性経路を可能にするように構成されてもよい。搭載アセンブリは、内側伝導性経路を外側電流経路から絶縁するように構成されてもよい。例えば、設備側アセンブリは、内側導体接続構成要素を含んでもよく、そのうちの少なくとも１つは、内側導体が、電気デバイスの一方の端子を電気デバイスの他方の端子から別個に通過させることを可能にする、一連の伝導性接続を提供する、外側導体に伝導的に結合されてもよい。
【００１０】
故に、本発明の懸架システムは、ＬＥＤ灯具設備等の照明器具が、単一ケーブルを用いて給電されることを可能にし得、これは、不動産物件の内装に据え付けられるべき照明器具を検討するとき、建築家、設計者、および自宅所有者にとって、魅力的オプションを提供し得る。いくつかの実施形態では、本発明の懸架システムは、調節可能懸架システム内で使用される二重導体ケーブル毎に、別個のＬＥＤアレイの給電を可能にし得る。これは、ケーブル把持を用いる単一導体懸架ケーブル配線システムを使用して要求され得るものより少ないケーブルを用いるより複雑な灯具システムの能力を伴う灯具設備を可能にし得る。
【００１１】
故に、ユーザは、ケーブルの外側導体が、アセンブリの適切な構成要素と接触して保持され得るように、かつグリッパのボールベアリングが、同軸ケーブルの内側ケーブルと接触するように、同軸ケーブルを適切な長さに切断し、ケーブルを剥取することによって、本発明の懸架システムによって懸架された設備の懸架高さを調節し得る。内側ケーブルの補強ストランドは、内側導体の伝導性ストランドを囲繞し、側方圧縮強度および引張強度を提供し、これは、内側ケーブルが、内側導体を損傷させずに、グリッパによって事実上定位置に係止されることを可能にする。
【００１２】
しかしながら、いくつかの実施形態は、グリッパを伴わずに、内側ケーブルを搭載アセンブリに伝導的に結合および締結し得る。例えば、内側ケーブルは、クランプ、ねじ、溶接、伝導性接着剤、または内側ケーブルが搭載アセンブリの少なくとも１つの伝導性構成要素と伝導的に接触することを可能にする、他の方法等の方法によって締結されてもよい。加えて、いくつかの実施形態は、外側導体を搭載アセンブリの一部の周囲に巻着する以外の方法を使用して、外側導体を搭載アセンブリに伝導的に結合および締結し得る。例えば、外側導体は、クランプ、ねじ、溶接、伝導性接着剤、または外側導体が搭載アセンブリの少なくとも１つの伝導性構成要素と伝導的に接触することを可能にする、他の方法等の方法によって締結されてもよい。種々の実施形態では、懸架ケーブルの片側は、グリッパデバイスによって締結されてもよい一方、懸架ケーブルの他側は、別の締結方法によって締結される。
【００１３】
電気アセンブリは、遠隔電源によって給電されてもよい。電源は、内側伝導性経路を介して、正の６０−ボルトまたはそれ未満の直流フィードを提供し、外側伝導性経路を介して、負の６０−ボルトまたはそれ未満の直流フィードを提供するように構成されてもよい。具体的には、いくつかの実施形態は、Ｎａｔｉｏｎａｌ  Ｅｌｅｃｔｒｉｃ  Ｃｏｄｅ（ＮＥＣ）クラス２システムを利用してもよい。故に、これらのシステムは、６０ＶＤＣまたは４２．４Ｖ  ＡＣおよび１００Ｗ総電力に限定され、電流は、５ｘＶを超えないであろう。
本明細書は、例えば、以下の項目も提供する。
（項目１）
電気装置を懸架するためのシステムであって、
電動式アセンブリと、
前記電動式アセンブリに結合される設備搭載アセンブリと、
構造体に結合される構造体搭載アセンブリと、
前記電動式アセンブリから遠隔の電源と、
同軸ケーブルであって、
第１の伝導性材料の伝導性ストランドおよび前記伝導性ストランドを囲繞する複数の補強ストランドを備える、内側ケーブルであって、前記複数の補強ストランドは、第２の伝導性材料から成る、内側ケーブルと、
前記内側ケーブルを囲繞する絶縁体層と、
前記絶縁体層を囲繞する外側導体と、
を備える同軸ケーブルと
を備え、
前記外側導体は、前記同軸ケーブルの一端における第１の除去された区分と、前記同軸ケーブルの他端における第２の除去された区分とを含み、
前記絶縁体層は、前記同軸ケーブルの各端部に除去された区分を有し、それによって、前記同軸ケーブルの一端における暴露された内側ケーブルの第１の部分と、前記同軸ケーブルの他端における暴露された内側ケーブルの第２の部分とを露出させ、
前記暴露された内側ケーブルの第１の部分は、前記設備搭載アセンブリに搭載され、前記暴露された内側ケーブル第２の部分は、前記構造体搭載アセンブリに搭載され、
外側導体メッシュの第１の除去された区分は、前記設備搭載アセンブリの一部と伝導的に接触し、前記外側導体メッシュの第２の除去された区分は、前記構造体搭載アセンブリの一部と伝導的に接触し、
前記設備搭載アセンブリおよび構造体搭載アセンブリはそれぞれさらに、少なくとも１つの内側導体接続構成要素と、少なくとも１つの外側導体接続構成要素と、少なくとも１つの絶縁体構成要素とを備え、前記設備搭載アセンブリおよび構造体搭載アセンブリはそれぞれ、
内側伝導性経路が、前記電源から、前記内側導体接続構成要素と前記内側ケーブルとの間の連続伝導性接続を通して、前記電動式アセンブリまで形成され、
外側伝導性経路が、前記電動式アセンブリから、前記外側導体と前記外側導体接続構成要素との間の連続伝導性接続を通して、前記電源まで形成され、
前記内側伝導性経路が、前記絶縁体層および前記絶縁体構成要素によって、前記外側伝導性経路から誘電的に分離される、
ように構成される、システム。
（項目２）
前記電動式アセンブリは、少なくとも１つの低電圧低電力灯具を含む光源を備える、照明器具設備アセンブリである、項目１に記載のシステム。
（項目３）
前記設備搭載アセンブリはさらに、少なくとも１つの伝導性グリッパ構成要素から成る、第１の調節可能グリッパアセンブリを備え、
前記構造体搭載アセンブリはさらに、少なくとも１つの伝導性グリッパ構成要素から成る、第２の調節可能グリッパアセンブリを備え、
前記伝導性グリッパ構成要素のうちの少なくとも１つは、前記第１の調節可能グリッパアセンブリが前記内側ケーブルを把持するように、前記暴露された内側ケーブルの第１の部分に結合され、
前記伝導性グリッパ構成要素のうちの少なくとも１つは、前記第１の調節可能グリッパアセンブリが前記内側ケーブルを把持するように、前記暴露された内側ケーブルの第２の部分に結合される、
項目１に記載のシステム。
（項目４）
前記第１の伝導性材料は、銅、銅合金、または非銅の高伝導性材料のうちの少なくとも１つであり、
前記第２の伝導性材料は、鋼鉄、ステンレス鋼、または高引張強度、高側方圧縮強度金属のうちの少なくとも１つであり、
前記伝導性ストランドは、複数の伝導性ワイヤを含み、各伝導性ケーブルの前記複数の補強ストランドのうちの少なくとも１つは、複数の強度ワイヤを含み、
前記外側導体は、銅、銅合金、または非銅の高伝導性金属のうちの少なくとも１つから構築されたメッシュである、
項目１に記載のシステム。
（項目５）
前記設備搭載アセンブリおよび構造体搭載アセンブリの内側伝導性接続構成要素および前記外側導体接続構成要素は、真鍮であって、前記絶縁体層および前記絶縁体構成要素は、プラスチックまたは別の非伝導性材料である、項目１に記載のシステム。
（項目６）
吊架型電動式アセンブリシステムであって、
電気を消費するための手段と、
前記電気を消費するための手段から遠隔の電力を提供するための手段と、
構造体搭載アセンブリを構造体に搭載するための手段と、
設備搭載アセンブリを設備に搭載するための手段と、
同軸懸架ケーブルを提供するための手段であって、
内側導体と、
前記内側導体を囲繞する補強層と、
前記補強層を囲繞する絶縁体層と、
前記絶縁体を囲繞する外側導体と、
を備える手段と
を備え、
前記同軸懸架ケーブルは、
前記補強層の第１の暴露された部分が、前記同軸懸架ケーブルの一端において暴露され、前記補強層の第２の暴露された部分が、前記同軸懸架ケーブルの他端において暴露され、
前記外側導体の第１の除去された部分が、前記同軸懸架ケーブルの一端において部分的に除去され、前記外側導体の別の第２の除去された部分が、前記同軸懸架ケーブルの他端において部分的に除去される、
ように、部分的に剥取され、
前記構造体搭載アセンブリおよび設備搭載アセンブリはそれぞれ、
少なくとも１つの内側導体接続構成要素と、
少なくとも１つの外側導体接続構成要素と、
少なくとも１つの絶縁体構成要素と、
前記補強層の第１の暴露された部分を設備側アセンブリの複数の伝導性構成要素のうちの少なくとも１つに結合するための手段と、
前記補強層の第２の暴露された部分を構造体側アセンブリの複数の伝導性構成要素のうちの少なくとも１つに結合するための手段と、
前記外側導体の第１の除去された部分を前記設備側アセンブリの複数の伝導性構成要素のうちの少なくとも１つに結合するための手段と、
外側導体メッシュの第２の除去された部分を前記構造体側アセンブリの複数の伝導性構成要素のうちの少なくとも１つに結合するための手段と、
を備え、
内側伝導性経路が、前記電力を提供するための手段から、前記内側導体、前記補強層、および前記内側導体接続構成要素間の連続伝導性接続を通して、前記電気を消費するための手段まで形成され、
外側伝導性経路が、前記電動式アセンブリから、前記外側導体と前記外側導体接続構成要素との間の連続伝導性接続を通して、前記電源まで形成され、
前記内側伝導性経路は、前記絶縁体層および前記複数の絶縁体構成要素によって、前記外側伝導性経路から誘電的に分離される、システム。
（項目７）
電動式アセンブリを懸架するための設備搭載アセンブリを作製する方法であって、
第１の絶縁体構成要素を少なくとも１つの内側導体接続構成要素に結合するステップと、
前記第１の絶縁体構成要素に、第１の外側導体接続構成要素を結合するステップであって、前記第１の外側導体接続構成要素は、開口部を有する、ステップと、
前記第１の外側導体接続構成要素に、第２の絶縁体構成要素を結合するステップであって、前記第２の絶縁体構成要素は、開口部を有する、ステップと、
前記第２の絶縁体構成要素に、少なくとも１つの筐体要素を結合するステップであって、前記少なくとも１つの筐体要素はそれぞれ、開口部を有する、ステップと、
前記少なくとも１つの筐体要素に、第３の絶縁体構成要素を結合するステップであって、前記第３の絶縁体構成要素は、開口部を有する、ステップと、
前記第１の外側導体接続構成要素を、前記第３の絶縁体構成要素、前記少なくとも１つの筐体要素、および前記第２の絶縁体構成要素の開口部を通して設置することによって、第２の外側導体接続構成要素を前記第１の外側伝導性構成要素に結合するステップであって、前記第２の外側導体接続構成要素は、開口部を有する、ステップと、
グリッパデバイスを前記内側導体接続構成要素に結合するステップであって、前記グリッパデバイスを前記内側導体接続構成要素に結合するステップは、
前記グリッパデバイスを、少なくとも前記第２の外側導体接続構成要素、前記第３の絶縁体構成要素、前記少なくとも１つの筐体要素、および前記第１の外側導体接続構成要素の開口部を通して設置するステップであって、前記グリッパデバイスは、前記グリッパデバイスを少なくとも前記第３の絶縁体構成要素から誘電的に分離する絶縁体スリーブを備える、ステップ、
を含む、ステップと、
前記グリッパデバイスに、第４の絶縁体構成要素を結合するステップであって、前記第４の絶縁体構成要素は、開口部を有する、ステップと、
第３の外側導体接続構成要素を提供するステップであって、前記第３の外側導体接続構成要素は、開口部を有する、ステップと、
前記第３の外側導体接続構成要素を前記第２の外側導体接続構成要素に結合するステップであって、前記第３の外側導体接続構成要素を前記第２の外側導体接続構成要素に結合するステップは、
前記第４の絶縁体構成要素を、前記第３の外側導体接続構成要素の開口部を通して設置するステップ
を含み、
内側伝導性経路が、少なくとも前記内側導体接続構成要素および前記グリッパデバイスによって形成され、
外側伝導性経路が、少なくとも前記第１、第２、および第３の外側導体接続構成要素によって形成され、
前記内側伝導性経路は、少なくとも前記第１、第２、第３、および第４の絶縁体構成要素によって、前記第２の伝導性経路から誘電的に分離される、
ステップと、
を含む、方法。
（項目８）
前記電動式アセンブリは、光源を備える、照明器具設備アセンブリである、項目１２に記載の方法。
（項目９）
前記光源は、少なくとも１つの低電圧低電力灯具を備える、項目１３に記載の方法。
（項目１０）
前記内側伝導性経路を介して、正の６０−ボルトまたはそれ未満の直流フィードを提供し、前記外側伝導性経路を介して、負の６０−ボルトまたはそれ未満の直流フィードを提供するように電源を構成するステップをさらに含む、項目１２に記載の方法。
（項目１１）
前記少なくとも１つの内側導体接続構成要素は、電気リング端子コネクタと、ねじ山付き金属ナットとを備え、前記グリッパデバイスを前記内側導体接続構成要素に結合するステップはさらに、
前記グリッパデバイスが前記電気リング端子コネクタと伝導的に接触するように、前記グリッパデバイスのねじ山付き部分を前記ねじ山付き金属ナットの中に螺入するステップ、
を含む、項目１２に記載の方法。
（項目１２）
前記少なくとも１つの筐体要素は、前記照明器具設備アセンブリの筐体であってもよい、項目１３に記載の方法。
（項目１３）
前記ケーブルから前記少なくとも１つの内側導体接続構成要素までの伝導性経路を提供するステップは、前記ケーブルが前記グリッパデバイスの開口部を通して給送されるとき、前記グリッパデバイス内に複数のボールベアリングを構成し、圧力をケーブルに印加するステップを含む、項目１２に記載の方法。
（項目１４）
第２の外側導体接続構成要素の開口部の一部は、ねじ山付き壁を含み、前記第３の外側導体接続構成要素を前記第２の外側導体接続構成要素に結合するステップはさらに、
前記第３の外側導体接続構成要素のねじ山付き部分を前記ねじ山付き壁の中に螺入するステップ
を含む、項目１２に記載の方法。
（項目１５）
前記少なくとも１つの内側導体構成要素、ならびに前記第１、第２、および第３の外側導体接続構成要素は、真鍮であり、前記第１、第２、第３、および第４の絶縁体構成要素は、プラスチックから作製される、項目１２に記載の方法。
【図面の簡単な説明】
【００１４】
発明を実施するための形態が、付随の図を参照して記載される。
【００１５】
【図１】図１は、電気装置のための二重導体懸架システム内で使用される例示的ケーブルグリッパデバイスの分解図を描写する。
【図２】図２は、電気装置のための二重導体懸架システム内で使用される例示的ケーブルグリッパデバイスの組み立てられた図を描写する。
【図３】図３は、灯具設備または電力を要求する他の懸架式装置に搭載するために使用され得る、ハードウェアアセンブリの分解図を描写する。
【図４】図４は、灯具設備または電力を要求する他の懸架式装置に搭載するために使用され得る、ハードウェアアセンブリの組み立てられたバージョンであり得る。
【図５】図５は、天井に、灯具設備または電力を要求する他の懸架式装置を懸架するケーブルを搭載するために使用され得る、ハードウェアアセンブリの分解図である。
【図６】図６は、天井に、灯具設備または電力を要求する他の懸架式装置を懸架するケーブルを搭載するために使用され得る、ハードウェアアセンブリの組み立てられたバージョンである。
【図７ａ】図７ａは、各層が剥取されたように示される、電気装置のための二重導体懸架システム内で使用される例示的同軸ケーブルである。
【図７ｂ】図７ｂは、電気装置のための二重導体懸架システム内で使用される例示的同軸ケーブルの断面図である。
【図８】図８は、電気装置のための二重導体懸架システム内の例示的設備側ハードウェアの横断面図である。
【図９】図９は、電気装置のための二重導体懸架システム内の例示的天井側ハードウェアの横断面図である。
【図１０】図１０は、電気装置のための例示的二重導体懸架システムの完成アセンブリを示す。
【図１１】図１１は、設備側アセンブリ４００等の照明器具設備を懸架するために使用される搭載アセンブリを作製するためのプロセス略図である。
【発明を実施するための形態】
【００１６】
図１は、電気装置のための二重導体懸架システム内で使用される例示的３ボールケーブルグリッパデバイスアセンブリ１００の分解図を示す。ケーブルグリッパデバイスは、懸架ケーブルを把持し、設備が天井等の構造体から吊架されることを可能にし得る。グリッパ構成要素１０１は、ケーブルが通過することを可能にするための円筒形開口部と、複数のボールベアリング１０３を含有するための内部円錐筒形状とを有してもよい。グリッパ構成要素１０２は、ねじ山付き構成要素であってもよく、グリッパ構成要素１０１の外側円錐筒表面によって停止されるまで、グリッパ構成要素１０１が通過することを可能にするための円形開口部を有してもよい。グリッパ筐体１０４は、その中にグリッパ構成要素１０２が螺入し得る、その内壁に沿ってねじ山を有する円筒形ねじ山付き要素であってもよい。加えて、グリッパ筐体１０４は、内側停止フランジを含んでもよい。グリッパ構成要素１０１、グリッパ構成要素１０２、ボールベアリング１０３、およびグリッパ筐体１０４は、真鍮等の金属から作製されてもよい。ばね１０６は、鋼鉄またはステンレス鋼等の金属から作製される、ばねであってもよい。グリッパ絶縁体構成要素１０５は、グリッパ筐体１０４の周囲に締まり嵌めされ得る、プラスチックから作製される円筒形絶縁体であってもよい。
【００１７】
図２は、グリッパデバイスアセンブリ１００の組み立てられた図２００を示す。グリッパ構成要素１０１は、グリッパ筐体１０４の中に螺入されたグリッパ構成要素１０２を通して嵌合され、これは、順に、グリッパ絶縁体構成要素１０５によって囲繞されている。グリッパデバイスアセンブリ１００は、ケーブルが把持され得るように、ケーブルがグリッパ構成要素１０１の孔の中に通過することを可能にし得る。具体的には、下向き力が、ケーブルに付与され、それによって、ケーブルをグリッパデバイスアセンブリの中に押動させる場合、ケーブルは、下向き力をグリッパ構成要素１０１の内部円錐筒に伝達するであろう。本下向き力は、ボールベアリング１０３を、グリッパ構成要素１０２の内壁に対して、かつケーブルの周囲で圧縮させ、それによって、ケーブルの軸に向かって各ボールによって印加される側方力を生じさせる。これらの側方力は、ケーブルを上向きに引動させ得る力にかかわらず、ケーブルが反対方向に移動することを防止する。
【００１８】
しかしながら、オペレータは、グリッパ構成要素１０１の暴露された部分を下向きに押下し、ケーブルを上向きに調節することが可能であり得る。具体的には、力が、ばね１０６に伝達され得、これが、グリッパ筐体１０４の内側停止フランジに停止され、それによって、グリッパ構成要素１０１の下向き運動を可能にする。１０１の下向き運動は、ケーブルの周囲におけるボールベアリングの圧縮解除を可能にし、それによって、オペレータがグリッパ構成要素１０１への下向き力を除去するまで、オペレータがケーブルを調節することを可能にする。
【００１９】
図３は、灯具設備または電力を要求する他の懸架式装置に搭載するために使用され得る、ハードウェアアセンブリの分解図３００である。内側導体接続構成要素３０１および外側導体接続構成要素３０５、３０８、３１１、および３１２は、真鍮等の金属または金属または非金属である別の伝導性材料から作製されてもよい。絶縁体構成要素３０３、３０６、３０７、および３１０は、プラスチックまたはシリコンもしくは複合材等の別の非伝導性材料から作製されてもよい。リング端子コネクタ３０２および３０４は、標準的電気リング端子コネクタであってもよい。設備側グリッパアセンブリ３０９は、図１および図２に論じられるようなグリッパデバイスアセンブリであってもよい。
【００２０】
図４は、設備側アセンブリ４００の組み立てられたバージョンである。内側導体接続構成要素３０１は、ねじ山付き本体を含んでもよく、これは、グリッパアセンブリ３０９の構成要素のねじ山付き内壁の中に螺入されてもよい。外側導体接続構成要素３０５は、外側導体接続構成要素３０８および絶縁体構成要素３０７の内側ねじ山の中に螺入され得る、ねじ山付き要素を含んでもよい。外側導体接続構成要素３０８は、グリッパアセンブリ３０９の絶縁体の周囲に嵌合し、それによって、外側導体接続構成要素３０８をグリッパアセンブリ３０９の伝導性構成要素から誘電的に分離された状態に保ち得る。外側導体接続構成要素３１１は、ねじ山付き本体を含んでもよく、これは、加えて、外側導体接続構成要素３０８の内側ねじ山付き壁の中に螺入されてもよい。外側導体接続構成要素３１１はさらに、非ねじ山付き円筒形押出成形体を含んでもよい。外側導体接続構成要素３１２は、外側導体接続構成要素３１１のねじ山の周囲に螺合し得る、内側ねじ山付き本体を含んでもよい。
【００２１】
絶縁体構成要素３０３は、内側導体接続構成要素３０１およびリング端子コネクタ３０２をリング端子コネクタ３０４および外側導体接続構成要素３０５から誘電的に分離し得る。絶縁体構成要素３０６は、絶縁体ワッシャであってもよく、絶縁体構成要素３０７は、絶縁体ショルダワッシャであってもよい。絶縁体構成要素３０６および３０７は、外側導体接続構成要素３０８を、絶縁体構成要素３０６と３０７との間の定位置に保持される円形開口部を有し得る、設備筐体から誘電的に分離し得る。絶縁体構成要素３１０は、外側導体接続構成要素３１１をグリッパアセンブリ３０９の伝導性構成要素から誘電的に分離し得る。
【００２２】
故に、組み立てられた設備側アセンブリ４００は、相互から誘電的に分離された２つの伝導性経路を提供し得る。第１の伝導性経路は、グリッパアセンブリ３０９、内側導体接続構成要素３０１、およびリング端子コネクタ３０２の伝導性構成要素間に伝導的に接触することによって提供されてもよい。第２の伝導性経路は、外側導体接続構成要素３１２、３１１、３０８、および３０５、ならびにリング端子コネクタ３０４間に伝導的に接触することによって提供されてもよい。設備側アセンブリ４００は、２つの伝導性経路間の誘電分離が、絶縁体構成要素３０３、３０６、３０７、および３１０、ならびにグリッパアセンブリ３０９の筐体を囲繞する絶縁体構成要素によって提供されるように構成されてもよい。
【００２３】
図５は、天井に搭載するために使用され得る、ハードウェアアセンブリの分解図５００である。内側導体接続構成要素５０１および外側導体接続構成要素、５０５、５０８、５１１、および５１２は、真鍮または金属もしくは非金属である他の伝導性材料から作製されてもよい。絶縁体構成要素５０３、５０６、５０７、５１０、および５１４は、プラスチックまたは他の非伝導性材料から作製されてもよい。リング端子コネクタ５０２および５０４は、標準的電気リング端子コネクタであってもよい。グリッパアセンブリ５０９は、図１および図２に論じられるようなグリッパアセンブリであってもよい。
【００２４】
図６は、天井側アセンブリ６００の組み立てられたバージョンである。内側導体接続構成要素５０１は、ねじ山付き本体を含んでもよく、これは、グリッパアセンブリ５０９の構成要素のねじ山付き内壁の中に螺入されてもよい。外側導体接続構成要素５０５は、外側導体接続構成要素５０８および絶縁体構成要素５０７の内側ねじ山の中に螺入され得る、ねじ山付き要素を含んでもよい。外側導体接続構成要素５０８は、グリッパアセンブリ５０９の絶縁体の周囲に嵌合し、それによって、外側導体接続構成要素５０８をグリッパ５０９の伝導性構成要素から誘電的に分離された状態に保ち得る。外側導体接続構成要素５１１は、ねじ山付き本体を含んでもよく、これは、加えて、伝導性構成要素５０８の内側ねじ山付き壁の中に螺入されてもよい。外側導体接続構成要素５１１はさらに、非ねじ山付き円筒形押出成形体を含んでもよい。外側導体接続構成要素５１２は、外側導体接続構成要素５１１のねじ山の周囲に螺合し得る、内側ねじ山付き本体を含んでもよい。
【００２５】
絶縁体構成要素５０３は、内側導体接続構成要素５０１およびリング端子コネクタ５０２をリング端子コネクタ５０４および外側導体接続構成要素５０５から誘電的に分離し得る。絶縁体構成要素５０６は、絶縁体ワッシャであってもよく、絶縁体構成要素５０７は、絶縁体ショルダワッシャであってもよい。絶縁体構成要素５１４は、筐体またはキャノピに嵌合するように構成されてもよく、これは、天井側アセンブリおよび接続箱を天井に搭載するために使用される搭載ブラッケットを隠し得る。絶縁体構成要素５０６、５０７、および５１４は、外側導体接続構成要素３０８をキャノピおよび搭載ブラケットから誘電的に分離し得、それぞれ、開口部を有してもよい。絶縁体構成要素５１０は、外側導体接続構成要素５１１をグリッパアセンブリ５０９の伝導性構成要素から誘電的に分離し得る。
【００２６】
故に、組み立てられた天井側アセンブリ６００は、相互から誘電的に分離される２つの伝導性経路を提供し得る。第１の伝導性経路は、グリッパアセンブリ５０９、内側導体接続構成要素５０１、およびリング端子コネクタ５０２の伝導性構成要素間に伝導的に接触することによって提供されてもよい。第２の伝導性経路は、外側導体接続構成要素５１２、５１１、５０８、および５０５、ならびにリング端子コネクタ５０４間に伝導的に接触することによって提供されてもよい。天井側アセンブリ６００は、２つの伝導性経路間の誘電分離が、絶縁体構成要素５０３、５０６、５０７、５１４、および５１０、ならびにグリッパアセンブリ５０９の筐体を囲繞する絶縁体構成要素によって提供されるように構成されてもよい。
【００２７】
図７ａは、各層が剥取または別様に除去されたように示される、同軸ケーブル７００である得る。外側導体７０１は、導体として作用するメッシュ層であってもよく、銅、合金、または非銅の高伝導性材料であってもよい。絶縁体層７０２は、プラスチックであってもよい。内側ケーブル７０３は、航空機用ケーブルまたは他の懸架ケーブルであってもよい。内側ケーブルは、いくつかの異なる実施形態において構成されてもよい。内側ケーブルの一実施形態では、伝導性ストランドは、複数の伝導性ワイヤを含み、複数の補強ストランドはそれぞれ、複数の強度ワイヤを含む。
【００２８】
図７ｂは、同軸ケーブル７００の横断面図であって、内側ケーブル７０３は、６つの外側ストランド７０４から作製されてもよく、各ストランドは、７つのワイヤ７０５を含有し、これは、ステンレス鋼または他の高強度材料から作製されてもよい。内側ストランド７０６は、外側ストランド７０４の中心におけるストランドであってもよく、７つのワイヤ７０７から作製されてもよく、これは、銅または他の高伝導性材料であってもよい。本システムに対する機械的負荷が、内側ケーブル７０３に印加され得る。故に、絶縁体層７０２は、内側ケーブル７０３を外側導体７０１から誘電的に分離し得、これは、別個の伝導性経路を可能にし得る。
【００２９】
いくつかの実施形態では、同軸ケーブルの少なくとも一方の端部は、外側導体７０１の一部が、アセンブリの伝導性構成要素と容易に接触して保持されるために利用可能であるように、除去されてもよい。故に、外側導体７０１は、直接、設備搭載アセンブリまたは天井搭載アセンブリ等のアセンブリへもしくはそこから電流を通過させ得る。加えて、同軸ケーブルの少なくとも一端は、内側ケーブルの一部が、調節可能ケーブルグリッパのボールベアリングによって把持されるために利用可能であるように、剥取されてもよい。故に、ケーブルグリッパによって保持される内側ケーブルは、ケーブルグリッパのボールベアリングへまたはそこから電流を通過させ得る。
【００３０】
伝導性ストランドは、低電圧電力を伝導させることが可能であり得る。補強ストランドは、伝導性ストランドより低伝導性であってもよく、吊架型照明器具アセンブリを天井から支持するために十分な引張強度を有し得る。十分な引張強度は、調節可能ケーブルグリッパおよび３／３２インチ直径内側ケーブルと併用されるとき、約５００ポンドの総破壊重量（ｂｒｅａｋ  ｗｅｉｇｈｔ）であってもよい。補強ストランドはまた、伝導性ストランドを調節可能ケーブルグリッパによって課される側方圧縮力から保護する。さらに、他の灯具、センサ、マイクロホン、装飾具、および同等物等の低電圧電気が給電され得る、他の電動式機器も、本懸架システムと併用されてもよい。
【００３１】
図８は、同軸ケーブル７００を伴う、設備側アセンブリ３００の横断面図である。外側導体７０１は、外側導体接続構成要素３１１の円筒形押出成形体の周囲に巻着し、照明器具設備内のＬＥＤボードの負の端子に伝導的に接続される、設備側アセンブリ４００の伝導性構成要素（すなわち、外側導体接続構成要素３１２、３１１、３０８、および３０５およびリング端子コネクタ３０４）が、接続箱９０１内のＬＥＤドライバの負の端子に伝導的に接続される、天井側アセンブリの金属構成要素に電流を通過させることを可能にしてもよい。外側導体接続構成要素３１２は、外側導体接続構成要素３１１上に螺合してもよく、これは、銅メッシュを外側導体７０１から除去された状態で保持するが、依然として、定位置においてそこに接続され得る。絶縁体構成要素３１０もまた、外側導体接続構成要素３０８の中に螺入されてもよい。外側導体接続構成要素３０８は、次いで、外側導体接続構成要素３０５上に螺合してもよく、これは、電気リング端子３０４に接触し得る。本一連の接続は、リング端子コネクタ３０４を通して電流を通過させ得、これは、標準的絶縁ワイヤをその上に圧着させ得る。絶縁ワイヤは、次いで、ＬＥＤボードまたは別の電気デバイスまで延設されてもよい。外側導体接続構成要素は、絶縁体構成要素３０３、３１０、グリッパアセンブリ３０９の円筒形筐体を囲繞する絶縁体構成要素、および絶縁体層７０２によって、内側導体およびコネクタから誘電的に分離されてもよい。絶縁体構成要素３０６および３０７は、設備側アセンブリ３００を設備の筐体８０１から絶縁し得る。
【００３２】
内側ケーブル７０３は、ボールベアリング１０３に接触してもよく、これは、内側ケーブル７０３を把持してもよい。電流は、内側ケーブル７０３を通してグリッパ１００の残りへと通過してもよく、これは、内側導体接続構成要素３０１上に螺合してもよく、順に、リング端子コネクタ３０２に接続されてもよい。本一連の接続は、ワイヤを通して電流を通過させてもよく、これは、リング端子コネクタ３０２の上に圧着される標準的絶縁ワイヤであってもよい。絶縁ワイヤは、順に、ＬＥＤボードまたは他の電気デバイスに延設されてもよい。故に、一連の伝導性接続は、内側ケーブル７０３からＬＥＤボードまたは他の電気デバイスに電流を通過させ得る。
【００３３】
図９は、同軸ケーブル７００を伴う天井側アセンブリ６００の横断面図である。外側導体７０１は、円筒形押出成形外側導体接続構成要素５１１の周囲に巻着し、電流が、外側導体接続構成要素５１２、５１１、５０８、および５０５に通過することを可能にしてもよい。外側導体接続構成要素５１２は、外側導体接続構成要素５１１上に螺合してもよく、銅メッシュを外側導体７０１から除去された状態で保持するが、依然として、定位置においてそこに接続され得る。外側導体接続構成要素５１１はまた、外側導体接続構成要素５０８の中に螺入されてもよく、これは、順に、外側導体接続構成要素５０５上に螺合してもよく、これは、リング端子コネクタ５０４に接触してもよい。本一連の接続は、ワイヤを通して電流を通過させてもよく、これは、リング端子コネクタ５０４上に圧着される標準的絶縁ワイヤであってもよい。絶縁ワイヤは、次いで、ＬＥＤボードまたは他の電気デバイスに延設されてもよい。これらの構成要素は、絶縁体５０３、５１０、および１０５によって、かつケーブル絶縁体層７０２によって、内側導体およびコネクタから絶縁されてもよい。絶縁体構成要素５０６、５０７、および５１４は、天井側アセンブリ６００を接続箱９０１、搭載ブラケット９０２、および天井キャノピ９０３から絶縁してもよい。
【００３４】
内側ケーブル７０３は、ケーブル７０３を把持する、グリッパ５０９のボールベアリングに接触してもよい。故に、電流は、１０３を通して、グリッパ５０９の伝導性構成要素の残りに通過し得る。グリッパ５０９は、内側導体接続構成要素５０１上に螺合してもよく、これは、リング端子コネクタ５０２に接続されてもよい。本一連の接続は、ワイヤを通して電流を通過させてもよく、これは、リング端子コネクタ５０２上に圧着される標準的絶縁ワイヤであってもよい。絶縁ワイヤは、次いで、ＬＥＤボードまたは他の電気デバイスに延設されてもよい。
【００３５】
図１０は、電気装置のための例示的懸架システムのアセンブリを示す。設備筐体８０１は、同軸ケーブル７００に接続され得る、設備側アセンブリ４００に接続されてもよく、これは、順に、天井側アセンブリ６００に接続されてもよい。搭載ブラケット９０２および天井キャノピ９０３は、接続箱９０１の真下に組み立てられてもよく、これは、いくつかの実施形態では、ＬＥＤドライバボードを格納してもよい。故に、設備筐体８０１は、いくつかの実施形態では、ＬＥＤ回路基板を含有し得る。
【００３６】
図１１は、設備側アセンブリ４００等の照明器具設備を懸架するために使用される搭載アセンブリを作製するためのプロセス略図である。
【００３７】
ブロック１１０１では、絶縁体構成要素３０３等の第１の絶縁体構成要素が、内側導体接続構成要素３０１等の内側導体接続構成要素に結合され得る。内側導体接続構成要素は、リング端子コネクタ３０２に伝導的に結合されてもよく、円筒形ねじ山付き押出成形体を含んでもよい。絶縁体構成要素３０３は、それを通してねじ山付き押出成形体が嵌合し得る孔を伴う、円筒形押出成形体を伴うプラスチック絶縁体であってもよい。
【００３８】
ブロック１１０２では、絶縁体構成要素３０３等の第１の絶縁体構成要素が、外側導体接続構成要素３０５等の第１の外側導体接続構成要素に結合され得る。第１の外側導体接続構成要素は、円筒形であって、第１の外側導体接続構成要素の中心を通して縦方向に延在する円形開口部等の開口部を有してもよい。代替として、リング端子コネクタ３０４等のリング端子コネクタが、第１の外側接続構成要素と第１の絶縁体構成要素との間の第１の外側接続構成要素に伝導的に結合されてもよい。
【００３９】
ブロック１１０３では、外側導体接続構成要素３０５等の第１の外側導体接続構成要素が、絶縁体構成要素３０６等の第２の絶縁体構成要素に結合されてもよい。第２の絶縁体構成要素は、開口部を有してもよい。
【００４０】
ブロック１１０４では、第２の絶縁体構成要素は、灯具設備筐体８０１等の少なくとも１つの筐体要素に結合されてもよい。少なくとも１つの筐体要素はそれぞれ、開口部を有してもよい。
【００４１】
ブロック１１０５では、少なくとも１つの筐体要素が、絶縁体構成要素３０７等の第３の絶縁体構成要素に結合され得る。第３の絶縁体構成要素は、開口部を有してもよい。第１の外側導体接続構成要素は、その上に第３の絶縁体構成要素が螺合され得る、ねじ山付き本体を含んでもよい。
【００４２】
ブロック１１０６では、外側導体接続構成要素３０８等の第２の外側導体接続構成要素が、第１の外側導体接続構成要素を、第２および第３の絶縁体構成要素ならびに少なくとも１つの筐体要素の開口部を通して設置すること等によって、第１の外側伝導性構成要素に結合され得る。第２の外側導体接続構成要素は、開口部およびねじ山付き内壁を有してもよい。
【００４３】
ブロック１１０７では、グリッパアセンブリ３０９等のグリッパデバイスが、グリッパデバイスを、少なくとも第２の外側導体接続構成要素、第３の絶縁体構成要素、少なくとも１つの筐体要素、および第１の外側導体接続構成要素の開口部を通して設置することによって、内側導体接続構成要素に結合されてもよい。グリッパデバイスは、グリッパデバイスを少なくとも第３の絶縁体構成要素から誘電的に分離する、グリッパ絶縁体構成要素１０５等の絶縁体スリーブを含む。加えて、グリッパデバイスの伝導性構成要素は、その中に内側伝導性構成要素のねじ山付き円筒形本体が螺入され、それによって、電流がグリッパデバイスと内側導体接続構成要素との間を通過することを可能にし得る、内側ねじ山を含んでもよい。
【００４４】
ブロック１１０８では、グリッパデバイスが、絶縁体構成要素３１０等の第４の絶縁体構成要素に結合され得る。第４の絶縁体構成要素は、開口部を有してもよい。
【００４５】
ブロック１１０９では、外側導体接続構成要素３１１等の第３の外側導体接続構成要素が、提供され得る。第３の外側導体接続構成要素は、開口部を有してもよい。
【００４６】
ブロック１１１０では、第３の外側導体接続構成要素が、少なくとも第４の絶縁体構成要素を、第３の外側導体接続構成要素の開口部を通して設置することによって、第２の外側導体接続構成要素に結合され得る。加えて、第３の外側導体接続構成要素は、第２の外側導体接続構成要素のねじ山付き内壁の中に螺入され得る、ねじ山付き本体を含んでもよい。
【００４７】
故に、第１の伝導性経路は、少なくとも内側導体接続構成要素およびグリッパデバイスによって形成され得る。さらに、第２の伝導性経路は、少なくとも第１、第２、および第３の外側導体接続構成要素によって形成される。最後に、第１の伝導性経路は、少なくとも第１、第２、第３、および第４の絶縁体構成要素によって、第２の伝導性経路から誘電的に分離される。
【００４８】
しかしながら、いくつかの実施形態は、グリッパを伴わずに、内側ケーブルを搭載アセンブリに伝導的に結合および締結してもよい。例えば、内側ケーブルは、クランプ、ねじ、溶接、伝導性接着剤、または内側ケーブルが搭載アセンブリの少なくとも１つの伝導性構成要素と伝導的に接触することを可能にする、他の方法等の方法によって締結されてもよい。加えて、いくつかの実施形態は、外側導体を搭載アセンブリの一部の周囲に巻着する以外の方法を使用して、外側導体を搭載アセンブリに伝導的に結合および締結してもよい。例えば、外側導体は、クランプ、ねじ、溶接、伝導性接着剤、または外側導体が搭載アセンブリの少なくとも１つの伝導性構成要素と伝導的に接触することを可能にする、他の方法等の方法によって締結されてもよい。種々の実施形態では、懸架ケーブルの片側は、グリッパデバイスによって締結されてもよい一方、懸架ケーブルの他側は、別の締結方法によって締結される。
【００４９】
本主題が、構造特徴および／または方法論的行為に特有の言語で説明されたが、添付の請求項に定義される主題は、必ずしも、前述の具体的特徴または行為に限定されないことを理解されたい。むしろ、前述の具体的特徴および行為は、請求項を実装する例示的形態として開示される。
【図１】
0006772149.tif 000002
【図２】
0006772149.tif 000003
【図３】
0006772149.tif 000004
【図４】
0006772149.tif 000005
【図５】
0006772149.tif 000006
【図６】
0006772149.tif 000007
【図７Ａ】
0006772149.tif 000008
【図７Ｂ】
0006772149.tif 000009
【図８】
0006772149.tif 000010
【図９】
0006772149.tif 000011
【図１０】
0006772149.tif 000012
【図１１】
0006772149.tif 000013